(57)【要約】【課題】  紙原稿を読み取った後に、紙原稿へ「済」等のスタンプを押下する場合に、この紙原稿のどの位置に必要な情報が記載されていても、紙原稿を無効にする画像読取装置、画像読取方法、プログラムを提供する。【解決手段】  スキャナ部２で紙原稿を読み取って得た画像データから、紙原稿における画像形成領域を検知し、この検知した画像形成領域に対して済スタンプを押下するように、スタンプ押下装置のスタンプ駆動部１８とスタンプ部１９の駆動を制御することにより、あえて紙原稿の画像形成領域に済スタンプを押下する。【選択図】  図２
2006261911.tif 000002
【特許請求の範囲】
【請求項１】
紙原稿を読み取って画像データを得る読取手段と、該読取手段で読み取った紙原稿を排出する際に該紙原稿に所定のスタンプを押下するスタンプ手段とを有する画像読取装置において、
前記読取手段で前記紙原稿を読み取って得た画像データに基づいて、前記紙原稿における記載領域を検出する記載領域検出手段と、
前記記載領域検出手段により検出した前記記載領域の少なくとも一部に対して、前記所定のスタンプを押下するように前記スタンプ手段による押下位置を制御する押下位置制御手段とを有することを特徴とする画像読取装置。
【請求項２】
前記記載領域検出手段によって前記紙原稿上に複数の前記記載領域を検出した場合には、前記押下位置制御手段は、前記複数の記載領域のそれぞれに対して所定のスタンプを押下することを特徴とする請求項１記載の画像読取装置。
【請求項３】
前記スタンプ手段は、前記複数の記載領域のうちの少なくとも２つの記載領域へ押下されるスタンプの表現を異ならせて押下することを特徴とする請求項２記載の画像読取装置。
【請求項４】
前記押下位置制御手段は、前記複数の記載領域のうちで最も大きな面積の記載領域又は最も大きなデータ容量に対してのみ、前記スタンプ手段によって前記所定のスタンプを押下させることを特徴とする請求項２記載の画像読取装置。
【請求項５】
前記スタンプ手段によって前記紙原稿へ前記所定のスタンプを押下した後でないとき、前記画像データの保存を完了させない保存手段をさらに有することを特徴とする請求項１から４のいずれか１項に記載の画像読取装置。
【請求項６】
紙原稿を読み取って画像データを得るステップと、該読み取った紙原稿を排出する際に該紙原稿に所定のスタンプを押下するスタンプステップを実行する画像読取方法において、
前記紙原稿を読み取って得た画像データに基づいて、前記紙原稿における記載領域を検出する記載領域検出ステップと、
前記記載領域検出ステップにより検知した前記記載領域の少なくとも一部に対して、前記所定のスタンプを押下するように押下位置を制御する押下位置制御ステップとを実行することを特徴とする画像読取方法。
【請求項７】
請求項６に記載の各ステップをコンピュータに実行させるためのプログラム。
【発明の詳細な説明】
【技術分野】
【０００１】
本発明は、紙原稿を読み取って画像データを得て、この読み取った紙原稿を搬送して紙原稿に所定のスタンプを押下する画像読取装置、画像読取方法及びプログラムに関する。
【背景技術】
【０００２】
近年、紙文書の電子化による文書保管スペースの削減、文書の検索性向上による業務効率化といったコスト削減の対応が進み、２００５年４月にはｅ−文書法の法律施行により、以前から法律による民間に書面による保存が義務付けられている財務、税務、医療等の関連書類の電子保存が認められるようになる。しかし、このｅ−文書法施行に関しては技術的な課題がまだ多くあり、その一つに電子登録後の紙原本の扱いがある。これに関する懸念としては、既に電子化による登録を終えて不要となった紙原本を再度スキャンされて別用途として悪意に使用されてしまう可能性があるということである。これに対し、従来からスキャンした紙文書原稿に、済スタンプを押下するファクシミリ装置がある（特許文献１参照）。そのため、紙原稿の悪用防止に、このような済スタンプを押下するファクシミリ装置を利用することが考えられる。
【特許文献１】特開２００１−２２３８３５号公報
【発明の開示】
【発明が解決しようとする課題】
【０００３】
しかしながら、従来のファクシミリ装置では、紙原稿を無効にするために済スタンプを押下する訳ではなく、必要な情報が記載されている場所を避けて済スタンプを押下している。そのため、従来のファクシミリ装置では、済スタンプを押下しても、無効にするには不完全である。
【０００４】
本発明は、上記事情に鑑みてなされたものであり、紙原稿を読み取った後に、紙原稿へ「済」等のスタンプを押下する場合に、この紙原稿のどの位置に必要な情報が記載されていても、紙原稿を無効にすることを目的とする。
【課題を解決するための手段】
【０００５】
請求項１記載の発明は、紙原稿を読み取って画像データを得る読取手段と、該読取手段で読み取った紙原稿を排出する際に該紙原稿に所定のスタンプを押下するスタンプ手段とを有する画像読取装置において、前記読取手段で前記紙原稿を読み取って得た画像データに基づいて、前記紙原稿における記載領域を検出する記載領域検出手段と、前記記載領域検出手段により検出した前記記載領域の少なくとも一部に対して、前記所定のスタンプを押下するように前記スタンプ手段による押下位置を制御する押下位置制御手段とを有することを特徴とする。
【０００６】
請求項２記載の発明は、請求項１記載の発明において、前記記載領域検出手段によって前記紙原稿上に複数の前記記載領域を検出した場合には、前記押下位置制御手段は、前記複数の記載領域のそれぞれに対して所定のスタンプを押下することを特徴とする。
【０００７】
請求項３記載の発明は、請求項２記載の発明において、前記スタンプ手段は、前記複数の記載領域のうちの少なくとも２つの記載領域へ押下されるスタンプの表現を異ならせて押下することを特徴とする。
【０００８】
請求項４記載の発明は、請求項２記載の発明において、前記押下位置制御手段は、前記複数の記載領域のうちで最も大きな面積の記載領域又は最も大きなデータ容量に対してのみ、前記スタンプ手段によって前記所定のスタンプを押下させることを特徴とする。
【０００９】
請求項５記載の発明は、請求項１から４のいずれか１項に記載の発明において、前記スタンプ手段によって前記紙原稿へ前記所定のスタンプを押下した後でないとき、前記画像データの保存を完了させない保存手段をさらに有することを特徴とする。
【００１０】
請求項６記載の発明は、紙原稿を読み取って画像データを得るステップと、該読み取った紙原稿を排出する際に該紙原稿に所定のスタンプを押下するスタンプステップを実行する画像読取方法において、前記紙原稿を読み取って得た画像データに基づいて、前記紙原稿における記載領域を検出する記載領域検出ステップと、前記記載領域検出ステップにより検知した前記記載領域の少なくとも一部に対して、前記所定のスタンプを押下するように押下位置を制御する押下位置制御ステップとを実行することを特徴とする。
【００１１】
請求項７記載の発明は、請求項６に記載の各ステップをコンピュータに実行させるためのプログラムである。
【発明の効果】
【００１２】
本発明によれば、紙原稿における記載領域を検知し、この記載領域の少なくとも一部に対して、所定のスタンプを押下するように押下位置を制御するため、確実に紙原稿内の記載領域部分に所定のスタンプを押下させることができることから、紙原稿をより確実に無効にすることができるという効果を奏する。
【発明を実施するための最良の形態】
【００１３】
以下、図面を参照して、本発明の実施形態を説明する。
【００１４】
図１は、本実施形態におけるNetwork Scanner等の画像読取装置の全体構成図である。図１のうち、自動原稿搬送装置（ＡＤＦ）１は、紙原稿をスキャナ部２まで自動的に搬送する。スキャナ部２は、ＣＣＤ(Charge Coupled Device)により紙原稿の読み取りを行い、画像データを得た後、ＲＧＢ処理等を行う。画像データ変換部３は、スキャナ部２で得た画像データのフォーマット変換を行う。このフォーマットとしては、ＪＰＥＧ、ＴＩＦＦ等がある。操作部４は、テンキー、スタートキー、ファンクションキー、タッチパネル表示部等により構成され、利用者が画像読取装置の操作時に使用する。
【００１５】
外部接続処理部５は、Ｅｔｈｅｒｎｅｔ（登録商標）等の外部Ｉ／Ｆの制御を行う。画像データ処理部６は、画像データ変換部３によって処理された後の画像データを、外部接続処理部５から画像読取装置の外部に送信する際に所定の暗号化、データ圧縮、ハッシュ値の算出を行うとともに、上記画像データから、紙原稿における画像形成領域（文字、図形、写真等の記載領域）を検出する。画像データ蓄積部７は、スキャナ部２、画像データ変換部３、画像データ処理部６によって処理された画像データを蓄積するＨＤＤ(Hard Disk Drive)等の記憶装置や、それらの処理途中に一時的に蓄積しておくＲＡＭ(Random Access Memory)領域である。
【００１６】
また、制御部８は、画像読取装置全体の制御を行うＣＰＵ(Central Processing Unit)や、このＣＰＵによる処理を実行させるためのプログラムが記録されたＲＯＭ(Read Only Memory)を備えたコンピュータである。この制御部８によって、ＡＤＦ１のメカセンサー制御、スタンプの押下位置の決定制御等を行う。また、その際に、済スタンプを画像形成領域内のランダムな位置に押下するときの、当該位置を算出するのに必要となる乱数の発生も行う。
【００１７】
また、スキャナ部２には、スキャナ部２で読み取った後にＡＤＦ１によって搬送されて来た紙原稿に対して、所定の位置に所定の表示マーク（文字、記号、図形、これらの少なくとも２つの組み合わせ等）の済スタンプを押下するスタンプ押下装置が設けられている。図２は、スタンプ押下装置の構成を示した図であり、図２（ａ）はスタンプ押下中の平面図、図２（ｂ）は図２（ａ）の正面図、図２（ｃ）はスタンプ押下後の平面図、図２（ｄ）は図２（ｃ）の正面図である。図２（ａ）、（ｂ）に示すように、スタンプ押下装置は、スタンプ駆動部１８と、このスタンプ駆動部の溝に沿って移動可能なスタンプ部１９によって構成され、制御部８からの制御信号に基づき、不図示のモーターによって、スタンプ駆動部１８が紙原稿２０の搬送方向（副走査方向）に移動し、スタンプ部１９が紙原稿２０の主走査方向に移動することができる。また、スタンプ押下後は、図２（ｃ）、（ｄ）に示すように、スタンプ部１９が紙原稿２０から離れ、スタンプ駆動部１８が移動することができる。
【００１８】
図３は、紙原稿上に複数に分割された画像形成領域が存在する場合に、スタンプ押下装置によって、それぞれの画像形成領域にスタンプを押下する状況を示した図である。図３（ａ）に示すように、紙原稿の右下欄の絵や写真等が示されている領域を押下し、図３（ｂ）に示すように、紙原稿の左下欄の短い文章が示されている領域を押下し、図３（ｃ）に示すように、紙原稿の上欄の長い文章が示されている領域を押下し、図３（ｄ）に示すように、スタンプ駆動部１８を紙原稿の上方に退避させることができる。
【００１９】
続いて、図４乃至図６を用いて、本実施形態に係る画像読取装置の動作について説明する。図４は、画像読取装置の処理を示したフローチャートである。
【００２０】
まず、利用者は、紙原本をＡＤＦ１にセットする（ステップＳ１）。そして、利用者は、操作部４で「電子登録モード」ボタンを押下し、「スタート」ボタンを押下する（ステップＳ２）。この際、紙原稿上に複数に分割された画像形成領域が存在する場合には、利用者は、全ての画像形成領域にスタンプを押下させる「画像の全分割領域スタンプ押下モード」を選択するか、複数の画像形成領域のうち、最も記載面積が大きい領域のみにスタンプを押下させる「１箇所スタンプ押下モード（面積優先）」を選択するか、又は、複数の画像形成領域のうち、最も大きなデータ容量の領域のみにスタンプを押下させる「１箇所スタンプ押下モード（画像データ量優先）」を選択することができる。
【００２１】
次に、ＡＤＦ１上の紙原稿はスキャナ部２のＡＤＦ用コンタクトガラスまで搬送されスキャナ部２で紙原稿のスキャンが行われる（ステップＳ３）。そして、スキャナ部２のスキャン動作で得たＲＧＢの画像データに基づいて、画像データ処理部６で、上記紙原稿における画像形成領域を検出する（ステップＳ４）。ここで、ステップ４に並行して、上記スキャンした画像データには、ユーザが所望する処理が開始される。このユーザが所望する処理としては、例えば、ｅ−文書法による紙文書の電子登録があり、これに関しては後述する。
【００２２】
次に、画像形成領域は１つか否かを判断する（ステップＳ５）。このステップＳ５による判断において、１つでないと判断した場合には（ＮＯ）、更に、全ての画像形成領域に対して、済スタンプを押下するか否かを判断する（ステップＳ６）。このステップＳ６による判断において、全ての画像形成領域に対して、済スタンプを押下しないと判断した場合には（ＮＯ）、画像データ処理部６において、最も面積が大きな画像形成領域、又は最も画像データ容量の大きな画像形成領域を検出する（ステップＳ７）。
【００２３】
ところで、上記ステップＳ５において、１つと判断した場合（ＹＥＳ）、又は、上記ステップＳ６において、全ての画像形成領域に対して済スタンプを押下すると判断した場合（ＹＥＳ）には、制御部８が済スタンプ押下対象の画像形成領域に対してスタンプ押下位置を決定する（ステップＳ８）。
【００２４】
次に、スキャンした画像データについて、利用者が所望するコピー等の処理が完了しているか否かを判断し（ステップＳ９）、処理が完了するまで、このステップＳ９の判断を行う（ＮＯ）。そして、処理が完了していると判断した場合には（ＹＥＳ）、画像読取装置内の紙原本がＡＤＦ１の動作によって、ＡＤＦ１内に一体となって構成されているスタンプ部まで搬送される（ステップＳ１０）。
【００２５】
次に、スタンプ部では、制御部８からの押下位置の指示に従って、紙原本上の定められた位置に所定のスタンプを押下する（ステップＳ１１）。この定められた位置は、上記ステップＳ５において画像形成領域が１つと判断した場合には（ＹＥＳ）、図５（ａ）に示すように、その画像形成領域内である。また、上記ステップＳ６において全ての画像形成領域にスタンプを押下すると判断した場合には（ＹＥＳ）、図５（ｂ）に示すように、全ての画像形成領域内である。更に、上記ステップＳ６において全ての画像形成領域にスタンプを押下しないと判断した場合には（ＮＯ）、図５（ｃ）に示すように、最も面積が大きな画像形成領域内、又は、図５（ｄ）に示すように、最も大きなデータ容量の画像形成領域内である。なお、画像形成領域内にスタンプが完全に収まるように押下するだけでなく、画像形成領域内の一部にスタンプが押下するようにしてもよい。
【００２６】
そして、最後に、ＡＤＦ１の排紙口からスタンプ押下後の紙原本を排出する（ステップＳ１２）。
【００２７】
次に、図６を用いて、上記ステップＳ４で示したｅ−文書法による紙文書の電子登録について説明する。図６（ａ）は、ｅ−文書法による紙文書の電子登録処理を示したフローチャートであり、図６（ｂ）は、図６（ａ）の処理を各主体との関係で示したネットワークの図である。
【００２８】
図６（ａ）、（ｂ）に示すように、画像読取装置では、スキャナ部２のスキャン動作で入力したＲＧＢ画像データに対して、画像データ変換部３で所望の画像フォーマット変換を行い、その画像データを一旦画像データ蓄積部７に保存する（ステップＳ１４）。そして、画像読取装置では、画像データ蓄積部７に一旦蓄積された画像データを、画像データ処理部６で圧縮、ハッシュ化、暗号化し、外部接続処理部５を介して画像読取装置の外部に送り出す（ステップＳ１５）。
【００２９】
次に、画像読取装置では、上記ステップＳ１５により送り出されたデータのハッシュ値について、時刻認証局（ＴＳＡ）でタイムスタンプを取得後、時刻認証局から送り返された画像データを、外部接続処理部５を介して受信する（ステップＳ１６）。そして、このステップＳ１６によって得た画像データ（認証後データ）と、元々の紙原本から得た画像データ（認証前データ）により完成した電子登録文書を画像データ蓄積部７に蓄積したり、若しくは、外部接続処理部５を介して、別のサーバ・コンピュータ(Server)に蓄積する（ステップＳ１７）。
【００３０】
以上説明したように、本実施形態によれば、スキャナ部２で紙原稿を読み取って得た画像データから、紙原稿における画像形成領域を検知し、この検知した画像形成領域に対して済スタンプを押下するように、スタンプ押下装置のスタンプ駆動部１８とスタンプ部１９の駆動を制御することにより、あえて紙原稿の画像形成領域に済スタンプを押下することができる。
【００３１】
なお、上記ステップＳ４〜Ｓ１１の処理中には、画像読取装置から紙原本を取り出すことができない。即ち、画像読取装置の所定の保管場所に一旦退避させ、スタンプ押下処理が完了するまで、画像読取装置から紙原稿を取り出すことができないように構成されている。これにより、スタンプ押下装置によって紙原稿へ済スタンプを押下した後でなければ、画像データの保存を完了させないようにすることが可能である。
【００３２】
また、上記実施形態では、図３に示すように、各画像形成領域内に完全に済スタンプが押下されているが、これに限るものではなく、済スタンプの一部のみが各画像形成領域に押下されるように押下位置を制御してもよい。
【００３３】
更に、上記実施形態では、図３に示すように、スタンプの文字を「済」にしているが、これに限るものではなく、他の表示マーク（文字、記号、図形、色、濃度、これらの少なくとも２つの組み合わせ等）にしてもよい。
【００３４】
また、上記実施形態では、図３に示すように、同じ文字である「済」のスタンプを使用しているが、これに限るものではなく、複数の画像形成領域にスタンプを押下する場合には、それぞれの画像形成領域に異なった表示マーク（文字、記号、図形、色、濃度、これらの少なくとも２つの組み合わせ等）のスタンプを使用するようにしてもよい。
【００３５】
更に、上記実施形態では、ＡＤＦ１によって、紙原稿をスキャナ部に搬送する場合と、読み取り後（スキャン後）に紙原稿をスタンプ押下装置へ搬送する場合について説明したが、これに限るものではなく、紙原稿をスタンプ押下装置へ搬送する場合にだけＡＤＦ１を使用するようにし、紙原稿をスキャナ部に置く動作は人間が行ってもよい。
【図面の簡単な説明】
【００３６】
【図１】本実施形態におけるNetwork Scanner等の画像読取装置の全体構成図である。
【図２】ステップ押下装置の構成を示した図であり、（ａ）はスタンプ押下中の平面図、（ｂ）は（ａ）の正面図、（ｃ）はスタンプ押下後の平面図、図２（ｄ）は（ｃ）の正面図である。
【図３】紙原稿上に複数に分割された画像形成領域が存在する場合に、スタンプ押下装置によって、それぞれの画像形成領域にスタンプを押下する状況を示した図である。
【図４】画像読取装置の処理を示したフローチャートである。
【図５】様々な種類の画像形成領域がある複数種類の紙原稿上に、済スタンプを押下した状態を示す正面図である。
【図６】（ａ）は、ｅ−文書法による紙文書の電子登録処理を示したフローチャート、（ｂ）は（ａ）の処理を各主体との関係で表したネットワークを示す図である。
【符号の説明】
【００３７】
１    自動原稿搬送部
２    スキャナ部
３    画像データ変換部
４    操作部
５    外部接続処理部
６    画像データ処理部
７    画像データ蓄積部
８    制御部
【図１】
2006261911.tif 000003
【図２】
2006261911.tif 000004
【図３】
2006261911.tif 000005
【図４】
2006261911.tif 000006
【図５】
2006261911.tif 000007
【図６】
2006261911.tif 000008